(57)【要約】【課題】携帯端末を利用した時刻通知サービスの利用者が、ある事情が発生すれば、通知を受ける時刻として設定された時刻を変更したい場合、利用者自らが当該事情の発生を随時確認することなく、自動的に通知を受ける時刻が変更され、変更された時刻に携帯端末の通知装置が起動する、時刻通知システムおよび時刻通知方法、時刻通知プログラムを提供することにある。【解決手段】時刻通知サービスの利用者から、識別データとオフセット時間のデータの入力を受け付け、それらを送信する携帯端末と、識別データに割り当てられた第一の時刻のデータを保存するデータベースと、第一の時刻のデータからオフセット時間のデータを差し引いた値である第ニの時刻のデータを求め、それを送信するサーバーと、携帯端末が第二の時刻のデータを受信する受信装置及び第二の時刻のデータを保存する保存装置と、時刻への到達を知らせる通知装置とを具備する時刻通知システム。【選択図】図１
2007322198.tif 000002
【特許請求の範囲】
【請求項１】
時刻通知サービスの利用者から、識別データとオフセット時間量のデータの入力を受け付け、前記識別データと前記オフセット時間量のデータを送信する携帯端末と、
前記識別データに割り当てられた第一の時刻のデータを保存するデータベースと、
前記識別データと前記オフセット時間量のデータを受信し、前記データベースから前記識別データに割り当てられた前記第一の時刻のデータを読み出し、前記第一の時刻のデータから前記オフセット時間量のデータを差し引いた値を第ニの時刻のデータとし、前記第ニの時刻のデータを前記携帯端末に送信するサーバーとを具備し、
前記携帯端末は、
前記第二の時刻のデータを受信する受信装置と、
前記第二の時刻のデータを保存する保存装置と、
前記保存装置に保存されている時刻への到達を知らせる通知装置と
を具備する
時刻通知システム。
【請求項２】
請求項１に記載の時刻通知システムにおいて、
前記サーバーは、前記第一の時刻のデータが変動した場合、変動した第一の時刻のデータから前記オフセット時間量のデータを差し引いた値を変動した第二の時刻のデータとし、前記変動した第ニの時刻のデータを前記携帯端末に送信し、
電波を受信可能であるとき、前記受信装置は、前記変動した第二の時刻のデータを受信し、
前記保存装置は、前記変動した第二の時刻のデータを保存し、
前記通知装置は、前記保存装置に保存されている時刻の到達を知らせる
時刻通知システム。
【請求項３】
請求項１又は２に記載の時刻通知システムにおいて、
前記第二の時刻のデータは、複数個の第一の時刻のデータから、前記オフセット時間量を差し引いて求めた複数の値である
時刻通知システム。
【請求項４】
請求項１乃至３のいずれか一項に記載の時刻通知システムにおいて、
前記第二の時刻のデータは、前記第一の時刻のデータあるいは前記複数の第一の時刻のデータから、複数個のオフセット時間量を差し引いて求めた複数の値である
時刻通知システム。
【請求項５】
請求項１乃至４のいずれか一項に記載の時刻通知システムにおいて、
前記保存装置が前記第二の時刻のデータを保存した後に、前記電波を受信不可能になれば、前記通知装置が警告を発する
時刻通知システム。
【請求項６】
請求項１乃至５のいずれか一項に記載の時刻通知システムにおいて、
前記保存装置に保存されている時刻の一定時刻前に、前記電波を受信不可能であれば、前記通知装置が警告を発する
時刻通知システム。
【請求項７】
請求項１乃至６のいずれか一項に記載の時刻通知システムにおいて、
前記第一の時刻のデータは、飛行機のフライト予定時刻である
時刻通知システム。
【請求項８】
請求項１乃至６のいずれか一項に記載の時刻通知システムにおいて、
前記第一の時刻のデータは、電車の発車予定時刻である
時刻通知システム。
【請求項９】
携帯端末が、時刻通知サービスの利用者から、識別データとオフセット時間量のデータの入力を受け付け、前記識別データと前記オフセット時間量のデータを送信するステップと、
データベースが、前記識別データに割り当てられた第一の時刻のデータを保存するステップと、
サーバーが、前記識別データと前記オフセット時間量のデータを受信するステップと、
前記データベースから前記識別データに割り当てられた前記第一の時刻のデータを読み出すステップと、
前記第一の時刻のデータから前記オフセット時間量のデータを差し引いた値を第ニの時刻のデータとし、前記第ニの時刻のデータを前記携帯端末に送信するステップと、
前記受信装置が、前記第二の時刻のデータを受信するステップと、
前記保存装置が、前記第二の時刻のデータを保存するステップと、
前記通知装置が、前記保存装置に保存されている時刻への到達を知らせるステップと
を具備する
時刻通知方法。
【請求項１０】
請求項９に記載の時刻通知方法において、
前記サーバーが、前記第一の時刻のデータが変動した場合、変動した第一の時刻のデータから前記オフセット時間量のデータを差し引いた値を変動した第二の時刻のデータとし、前記変動した第ニの時刻のデータを前記携帯端末に送信するステップと、
電波を受信可能であるとき、前記受信装置が、前記変動した第二の時刻のデータを受信するステップと、
前記保存装置が、前記変動した第二の時刻のデータを保存するステップと、
前記通知装置が、前記保存装置に保存されている時刻の到達を知らせるステップと
を具備する
時刻通知方法。
【請求項１１】
請求項９又は１０に記載の時刻通知方法において、
前記第二の時刻のデータは、複数個の第一の時刻のデータから、前記オフセット時間量を差し引いて求めた複数の値である
時刻通知方法。
【請求項１２】
請求項９乃至１１のいずれか一項に記載の時刻通知方法において、
前記第二の時刻のデータは、前記第一の時刻のデータあるいは前記複数の第一の時刻のデータから、複数個のオフセット時間量を差し引いて求めた複数の値である
時刻通知方法。
【請求項１３】
請求項９乃至１２のいずれか一項に記載の時刻通知方法において、
前記保存装置が前記第二の時刻のデータを保存した後に、前記電波を受信不可能になれば、前記通知装置が警告を発するステップを具備する
時刻通知方法。
【請求項１４】
請求項９乃至１３のいずれか一項に記載の時刻通知方法において、
前記保存装置に保存されている時刻の一定時刻前に、前記電波を受信不可能であれば、前記通知装置が警告を発するステップを具備する
時刻通知方法。
【請求項１５】
請求項９乃至１４のいずれか一項に記載の時刻通知方法において、
前記第一の時刻のデータは、飛行機のフライト予定時刻である
時刻通知方法。
【請求項１６】
請求項９乃至１４のいずれか一項に記載の時刻通知方法において、
前記第一の時刻のデータは、電車の発車予定時刻である
時刻通知方法。
【請求項１７】
携帯端末が、時刻通知サービスの利用者から、識別データとオフセット時間量のデータの入力を受け付け、前記識別データと前記オフセット時間量のデータを送信するステップと、
データベースが、前記識別データに割り当てられた第一の時刻のデータを保存するステップと、
サーバーが、前記識別データと前記オフセット時間量のデータを受信するステップと、
前記データベースから前記識別データに割り当てられた前記第一の時刻のデータを読み出すステップと、
前記第一の時刻のデータから前記オフセット時間量のデータを差し引いた値を第ニの時刻のデータとし、前記第ニの時刻のデータを前記携帯端末に送信するステップと、
前記受信装置が、前記第二の時刻のデータを受信するステップと、
前記保存装置が、前記第二の時刻のデータを保存するステップと、
前記通知装置が、前記保存装置に保存されている時刻への到達を知らせるステップと
を具備する
時刻通知プログラム。
【請求項１８】
請求項１７に記載の時刻通知プログラムにおいて、
前記サーバーが、前記第一の時刻のデータが変動した場合、変動した第一の時刻のデータから前記オフセット時間量のデータを差し引いた値を変動した第二の時刻のデータとし、前記変動した第ニの時刻のデータを前記携帯端末に送信するステップと、
電波を受信可能であるとき、前記受信装置が、前記変動した第二の時刻のデータを受信するステップと、
前記保存装置が、前記変動した第二の時刻のデータを保存するステップと、
前記通知装置が、前記保存装置に保存されている時刻の到達を知らせるステップと
を具備する
時刻通知プログラム。
【請求項１９】
請求項１７又は１８に記載の時刻通知プログラムにおいて、
前記第二の時刻のデータは、複数個の第一の時刻のデータから、前記オフセット時間量を差し引いて求めた複数の値である
時刻通知プログラム。
【請求項２０】
請求項１７乃至１９のいずれか一項に記載の時刻通知プログラムにおいて、
前記第二の時刻のデータは、前記第一の時刻のデータあるいは前記複数の第一の時刻のデータから、複数個のオフセット時間量を差し引いて求めた複数の値である
時刻通知プログラム。
【請求項２１】
請求項１７乃至２０いずれか一項に記載の時刻通知プログラムにおいて、
前記保存装置が前記第二の時刻のデータを保存した後に、前記電波を受信不可能になれば、前記通知装置が警告を発するステップを具備する
時刻通知プログラム。
【請求項２２】
請求項１７乃至２１のいずれか一項に記載の時刻通知プログラムにおいて、
前記保存装置に保存されている時刻の一定時刻前に、前記電波が受信不可能であれば前記通知装置が警告を発するステップを具備する
時刻通知プログラム。
【請求項２３】
請求項１７乃至２２のいずれか一項に記載の時刻通知プログラムにおいて、
前記第一の時刻のデータは、飛行機のフライト予定時刻である
時刻通知プログラム。
【請求項２４】
請求項１７乃至２２のいずれか一項に記載の時刻通知プログラムにおいて、
前記第一の時刻のデータは、電車の発車予定時刻である
時刻通知プログラム。
【発明の詳細な説明】
【技術分野】
【０００１】
本発明は、時刻通知サービスを受ける利用者が、設定した時刻に携帯端末から時刻通知を受けることができる時刻通知システム、時刻通知方法及び時刻通知プログラムに関する。
【背景技術】
【０００２】
携帯電話の利用者が、所望の時刻に通知を受けるため、サーバー等に、その時刻を予約登録しておき、その時刻に達した際に、サーバー等から携帯電話にメッセージ等を送信するサービスが行われている。そのようなサービスの一形態として、モーニングコールサービスがある。例えば、携帯電話の保有者が、モーニングコールサービスを利用する場合、まず最初に、携帯電話の電話番号、メールアドレス、モーニングコールを受けたい時刻等の情報を携帯電話に入力する。携帯電話は、それらの情報を、モーニングコールサービスを提供する会社が保有するサーバーに送信する。サーバーは、各情報を受信し保存する。サーバーは、その時刻に達した際、サーバーに保存した利用者の携帯電話の電話番号やメールアドレスの情報を読み出し、モーニングコールサービスの利用者が保有する携帯電話にメッセージ等を送信する等の処理を実行する。このメッセージ等の送信は、電波の通信によって行われるため、サービスの利用者は、携帯電話が電波を受信することが可能な場所（モーニングコールサービスの圏内）でのみサービスの提供を受けることができる。
【０００３】
特許文献１に、モーニングコールサービスを受ける加入者端末を接続している加入者データベースを持つ交換機と、加入者が行ったモーニングコールサービスの指定日時に対し付加すべきサービス条件指定のメニューリストを持つメニューリストサーバーと、前記メニューリストにもとづいて加入者が指定したサービス条件のサービス情報を提供するサービス情報提供サーバーとを備え、前記交換機は、前記サービス情報提供サーバーが提供する加入者が指定したサービス情報を、モーニングコールの起動時に加入者端末へ通知することを特徴とするモーニングコールサービスシステムが開示されている。
【０００４】
また、特許文献２に、インターネット網を介してユーザ端末とサービス提供サーバーとが接続されて成るモーニングコールサービスシステムであって、前記ユーザ端末は、スケジュール管理用ソフトを搭載し、該スケジュール管理用ソフトを用いて作成されたスケジュール情報を前記サービス提供サーバーに送信し、前記サービス提供サーバーは、前記送信された前記スケジュール情報に基づくモーニングコールサービスを、前記ユーザ端末により予め指定された電話番号に対して提供することを特徴とするモーニングコールサービスが開示されている。
【０００５】
また、特許文献３に、ユーザ端末から設定時刻になったことを通知するための時刻情報を受付け、該当する時刻に達した時点で当該ユーザ端末に設定時刻になったことを通知する信号または情報を送信する設定時刻の通知方法であって、ユーザ端末から前記時刻情報と当該ユーザの出発地または出発地と目的地を含む地域情報並びに前記設定時刻の変更要因が発生した場合の修正時間情報を受付ける第１のステップと、受付けた時刻情報の時刻よりも前記修正時間情報で示される時間以上の前の時刻までの間に、前記地域情報で示される地域の気象情報を気象情報発信機関から収集する第２のステップと、収集した気象情報が前記設定時刻の変更要因に該当するかを判定し、該当する場合にはユーザ端末から受付けた前記時刻情報を前記修正時間情報で示される時間分だけ修正し、その修正後の時刻に前記信号または情報をユーザ端末に送信する第３のステップとを備えることを特徴とする設定時刻の通知方法が開示されている。
【０００６】
また、特許文献４に、電波の受信処理を行う受信部と、該受信部により受信された信号に基づいて、圏外及び圏内の判断を行う判断部と、該判断部により受信状態が圏内から圏外に変化したと判断された後に、直ちに圏外状態の継続時間の計時を行うタイマー部と、該タイマー部の計時時間が予め設定した時間に達した時にアラームを発するアラーム発生部と、前記タイマー部による圏外状態の継続時間の計時開始から、前記アラーム発生部によるアラーム発生までの時間を設定する継続時間設定部と、を備えたことを特徴とする移動体通信装置が開示されている。
【０００７】
【特許文献１】特開２００２−３１４６９０
【特許文献２】特開２００２−３５４１２４
【特許文献３】特開２００３−２１５２８０
【特許文献４】特開平１１−８８９３１
【発明の開示】
【発明が解決しようとする課題】
【０００８】
本発明の目的は、携帯端末を利用した時刻通知サービスの利用者が、ある事情が発生すれば、通知を受ける時刻として設定された時刻を変更したい場合、利用者自らが当該事情の発生を随時確認することなく、自動的に通知を受ける時刻の変更がなされ、変更された時刻に携帯端末の通知装置が起動する、時刻通知システムおよび時刻通知方法、時刻通知プログラムを提供することである。
【課題を解決するための手段】
【０００９】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１０】
本発明による時刻通知システムは、時刻通知サービスの利用者から、識別データ（５０ｂ）とオフセット時間量（４０）のデータの入力を受け付け、識別データ（５０ｂ）とオフセット時間量（４０）のデータを送信する携帯端末（２）と、識別データ（５０ｂ）に割り当てられた第一の時刻（５０ｃ）のデータを保存するデータベース（６ｂ）と、識別データ（５０ｂ）とオフセット時間量（４０）のデータを受信し、データベース（６ｂ）から識別データ（５０ｂ）に割り当てられた第一の時刻（５０ｃ）のデータを読み出し、第一の時刻（５０ｃ）のデータからオフセット時間量（４０）のデータを差し引いた値を第ニの時刻（４２）のデータとし、第ニの時刻（４２）のデータを携帯端末（２）に送信
するサーバー（６ａ）とを具備し、携帯端末（２）は、第二の時刻（４２）のデータを受信する受信装置（２ｄ）と、第二の時刻（４２）のデータを保存する保存装置（２ｆ）と、保存装置（２ｆ）に保存されている時刻（１００）への到達を知らせる通知装置（２ｃ）とを備えている。
【００１１】
本発明の時刻通知システムにおいて、サーバー（６ａ）は、第一の時刻（５０ｃ）のデータが変動した場合、変動した第一の時刻（５０ｃ）のデータからオフセット時間量（４０）のデータを差し引いた値を変動した第二の時刻（４２）のデータとし、変動した第ニの時刻（４２）のデータを携帯端末（２）に送信し、電波を受信可能であるとき、受信装置（２ｄ）は、変動した第二の時刻（４２）のデータを受信し、保存装置（２ｆ）は、変動した第二の時刻（４２）のデータを保存し、通知装置（２ｃ）は、保存装置（２ｆ）に保存されている時刻（１００）の到達を知らせる。
【００１２】
本発明の時刻通知システムにおいて、第二の時刻（４２）のデータは、複数個の第一の時刻（５０ｃ）のデータから、オフセット時間量（４０）を差し引いて求めた複数の値である。
【００１３】
本発明の時刻通知システムにおいて、第二の時刻（４２）のデータは、第一の時刻（５０ｃ）のデータあるいは複数の第一の時刻（５０ｃ）のデータから、複数個のオフセット時間量（４０）を差し引いて求めた複数の値である。
【００１４】
本発明の時刻通知システムは、保存装置（２ｆ）が第二の時刻（４２）のデータを保存した後に、電波を受信不可能になれば、通知装置（２ｃ）が警告を発する。
【００１５】
本発明の時刻通知システムは、保存装置（２ｆ）に保存されている時刻（１００）の一定時刻前に、電波を受信不可能であれば、通知装置（２ｃ）が警告を発する。
【００１６】
本発明の時刻通知システムにおいて、第一の時刻（５０ｃ）のデータは、飛行機のフライト予定時刻である。
【００１７】
本発明の時刻通知システムにおいて、第一の時刻（５０ｃ）のデータは、電車の発車予定時刻である。
【００１８】
本発明の時刻通知方法は、携帯端末（２）が、時刻通知サービスの利用者から、識別データ（５０ｂ）とオフセット時間量（４０）のデータの入力を受け付け、識別データ（５０ｂ）とオフセット時間量（４０）のデータを送信するステップと、データベース（６ｂ）が、識別データ（５０ｂ）に割り当てられた第一の時刻（５０ｃ）のデータを保存するステップと、サーバー（６ａ）が、識別データ（５０ｂ）とオフセット時間量（４０）のデータを受信するステップと、データベース（６ｂ）から識別データ（５０ｂ）に割り当てられた第一の時刻（５０ｃ）のデータを読み出すステップと、第一の時刻（５０ｃ）のデータからオフセット時間量（４０）のデータを差し引いた値を第ニの時刻（４２）のデータとし、第ニの時刻（４２）のデータを携帯端末（２）に送信するステップと、受信装置（２ｄ）が、第二の時刻（４２）のデータを受信するステップと、保存装置（２ｆ）が、第二の時刻（４２）のデータを保存するステップと、通知装置（２ｃ）が、保存装置（２ｆ）に保存されている時刻（１００）への到達を知らせるステップとを備えている。
【００１９】
本発明の時刻通知方法は、サーバー（６ａ）が、第一の時刻（５０ｃ）のデータが変動した場合、変動した第一の時刻（５０ｃ）のデータからオフセット時間量（４０）のデータを差し引いた値を変動した第二の時刻（４２）のデータとし、変動した第ニの時刻（４２）のデータを携帯端末（２）に送信するステップと、電波を受信可能であるとき、受信装置（２ｄ）が、変動した第二の時刻（４２）のデータを受信するステップと、保存装置（２ｆ）が、変動した第二の時刻（４２）のデータを保存するステップと、通知装置（２ｃ）が、保存装置（２ｆ）に保存されている時刻（１００）の到達を知らせるステップとを備えている。
【００２０】
本発明の時刻通知方法において、第二の時刻（４２）のデータは、複数個の第一の時刻（５０ｃ）のデータから、オフセット時間量（４０）を差し引いて求めた複数の値である。
【００２１】
本発明の時刻通知方法において、第二の時刻（４２）のデータは、第一の時刻（５０ｃ）のデータあるいは複数の第一の時刻（５０ｃ）のデータから、複数個のオフセット時間量（４０）を差し引いて求めた複数の値である。
【００２２】
本発明の時刻通知方法は、保存装置（２ｆ）が第二の時刻（４２）のデータを保存した後に、電波を受信不可能になれば、通知装置（２ｃ）が警告を発するステップを備えている。
【００２３】
本発明の時刻通知方法は、保存装置（２ｆ）に保存されている時刻（１００）の一定時刻前に、電波を受信不可能であれば、通知装置（２ｃ）が警告を発するステップを備えている。
【００２４】
本発明の時刻通知方法において、第一の時刻（５０ｃ）のデータは、飛行機のフライト予定時刻である。
【００２５】
本発明の時刻通知方法において、第一の時刻（５０ｃ）のデータは、電車の発車予定時刻である。
【００２６】
本発明の時刻通知プログラムは、携帯端末（２）が、時刻通知サービスの利用者から、識別データ（５０ｂ）とオフセット時間量（４０）のデータの入力を受け付け、識別データ（５０ｂ）とオフセット時間量（４０）のデータを送信するステップと、データベース（６ｂ）が、識別データ（５０ｂ）に割り当てられた第一の時刻（５０ｃ）のデータを保存するステップと、サーバー（６ａ）が、識別データ（５０ｂ）とオフセット時間量（４０）のデータを受信するステップと、データベース（６ｂ）から識別データ（５０ｂ）に割り当てられた第一の時刻（５０ｃ）のデータを読み出すステップと、第一の時刻（５０ｃ）のデータからオフセット時間量（４０）のデータを差し引いた値を第ニの時刻（４２）のデータとし、第ニの時刻（４２）のデータを携帯端末（２）に送信するステップと、受信装置（２ｄ）が、第二の時刻（４２）のデータを受信するステップと、保存装置（２ｆ）が、第二の時刻（４２）のデータを保存するステップと、通知装置（２ｃ）が、保存装置（２ｆ）に保存されている時刻（１００）への到達を知らせるステップとを備えている。
【００２７】
本発明の時刻プログラムは、サーバー（６ａ）が、第一の時刻（５０ｃ）のデータが変動した場合、変動した第一の時刻（５０ｃ）のデータからオフセット時間量（４０）のデータを差し引いた値を変動した第二の時刻（４２）のデータとし、変動した第ニの時刻（４２）のデータを携帯端末（２）に送信するステップと、電波を受信可能であるとき、受信装置（２ｄ）が、変動した第二の時刻（４２）のデータを受信するステップと、保存装置（２ｆ）が、変動した第二の時刻（４２）のデータを保存するステップと、通知装置（２ｃ）が、保存装置（２ｆ）に保存されている時刻（１００）の到達を知らせるステップとを備えている。
【００２８】
本発明の時刻通知プログラムにおいて、第二の時刻（４２）のデータは、複数個の第一の時刻（５０ｃ）のデータから、オフセット時間量（４０）を差し引いて求めた複数の値である。
【００２９】
本発明の時刻通知プログラムにおいて、第二の時刻（４２）のデータは、第一の時刻（５０ｃ）のデータあるいは複数の第一の時刻（５０ｃ）のデータから、複数個のオフセット時間量（４０）を差し引いて求めた複数の値である。
【００３０】
本発明の時刻通知プログラムは、保存装置（２ｆ）が第二の時刻（４２）のデータを保存した後に、電波を受信不可能になれば、通知装置（２ｃ）が警告を発するステップを備えている。
【００３１】
本発明の時刻通知プログラムは、保存装置（２ｆ）に保存されている時刻（１００）の一定時刻前に、電波を受信不可能であれば、通知装置（２ｃ）が警告を発するステップを備えている。
【００３２】
本発明の時刻通知プログラムにおいて、第一の時刻（５０ｃ）のデータは、飛行機のフライト予定時刻である。
【００３３】
本発明の時刻プログラムにおいて、第一の時刻（５０ｃ）のデータは、電車の発車予定時刻である。
【発明の効果】
【００３４】
本発明によれば、携帯端末を利用した時刻通知サービスの利用者が、ある事情が発生すれば、あらかじめ設定した、通知を受ける時刻を変更したい場合、利用者自らが当該事情の発生を随時確認することなく、自動的に通知を受ける時刻の変更がなされ、変更された時刻に携帯端末の通知機能が起動する、時刻通知システムおよび時刻通知方法、時刻通知プログラムが提供される。
【発明を実施するための最良の形態】
【００３５】
添付図面を参照して、本発明による時刻通知システム、時刻通知方法及び時刻通知プログラムを実施するための最良の形態を以下に説明する。
【００３６】
図１は、本実施形態の時刻通知システムの構成を示す。時刻通知システムは、携帯電話端末２とサーバー６ａと外部データベース（以下、外部ＤＢと略す。）６ｂとで構成されている。サーバー６ａは、外部ＤＢ６ｂとインターネット網６を介して接続されている。さらに、サーバー６ａは、携帯電話端末２と無線通信によって情報の相互通信を行うことが可能である。無線通信を使って、サーバー６ａと携帯電話端末２が情報の相互通信を行う場合は、携帯電話端末２が携帯電話ネットワークサービスエリア圏内４に存在する時に限られる。逆に言えば、携帯電話端末２が、携帯電話ネットワークサービスエリア圏外８にある時は、サーバー６ａと携帯電話端末２は、情報の相互通信を行うことが不可能である。
【００３７】
なお、本実施形態においては、ある利用者が、特定の航空会社５０ａの、ある日時の便名５０ｂのフライトに搭乗する予定であって、利用者はそのフライト予定時刻５０ｃの３時間前に起床したいと考え、モーニングコールサービスを利用するという場面について述べる。  
【００３８】
図２は、サーバー６ａの内部を示す。サーバー６ａは、サービス登録要求処理部１０、サービス登録情報送付要求処理部１２、運行状況確認処理部１４、運行状況確認応答処理部１６、サービス登録要求応答処理部２０、利用者情報データベース３０によって構成されている。
【００３９】
サービス登録要求処理部１０は、モーニングコールサービスの利用を要求する者からのサービス登録要求を受け付け、携帯電話端末２の電話番号３４やメールアドレス３６の情報を受信し、利用者毎に利用者番号３２を割り当てる。サービス登録要求処理部１０は、利用者番号３２、電話番号３４、メールアドレス３６（以下、これら３つの情報を利用者情報と呼ぶ）を利用者情報データベース３０に送信する処理を行う。
【００４０】
サービス登録情報送付要求処理部１２は、利用者情報データベース３０から、利用者情報（利用者番号３２、電話番号３４、メールアドレス３６）を読み出し、利用者に対し、利用者が搭乗する予定のフライトの航空会社名５０ａや便名５０ｂ、希望するオフセット時間４０（本実施形態の場合、フライト予定時刻と利用者が希望する起床時刻の差）に関する情報を、携帯電話端末２から送信することを要求する旨の通知を、利用者情報（利用者番号３２、電話番号３４、メールアドレス３６）に基づいた電話番号３４あるいは、メールアドレス３６に送信する処理を行う。
【００４１】
運行状況確認処理部１４は、携帯電話端末２から、利用者が搭乗する予定のフライトの航空会社名５０ａや便名５０ｂ、希望するオフセット時間４０に関する情報を受信し、それらの情報に基づいて外部ＤＢ６ｂにアクセスする。運行状況確認処理部１４は、飛行機運行情報データベース５０から利用者が搭乗する予定のフライトに関する情報（航空会社名５０ａ、便名５０ｂ、フライト予定時刻５０ｃ、行先５０ｄ、空席数５０ｅ）を検索し、最新のフライト予定時刻５０ｃの情報を読み出す処理を行う。そして、運行状況確認処理部１４は、最新のフライト予定時刻５０ｃを運行状況確認応答処理部１６に送信する処理を行う。
【００４２】
運行状況確認応答処理部１６は、運行状況確認処理部１４が送信した最新のフライト予定時刻５０ｃから、利用者が希望したオフセット時間４０を差し引いた時刻を求め、それをサービス登録時間４２とする処理を行う。運行状況確認応答処理部１６は、そのサービス登録時間４２をサービス登録要求応答処理部２０に送信する処理を行う。また、運行状況確認応答処理部１６は、サービス登録時間４２を利用者情報データベース３０に送信する。
【００４３】
サービス登録要求応答処理部２０は、運行状況確認応答処理部１６が送信したサービス登録時間４２を受信し、利用者情報データベース３０から、利用者情報（利用者番号３２、電話番号３４、メールアドレス３６）を読み出し、利用者の携帯電話端末２にサービス登録時間４２を送信する。
【００４４】
図３は、利用者情報データベース３０が保存する情報を示す。利用者情報データベース３０は、サービスの利用者の利用者情報（利用者番号３２、電話番号３４、メールアドレス３６）、オフセット時間４０、サービス登録時間４２の情報を保存する。
【００４５】
図４は、外部ＤＢ６ｂの内部の構成を示す。外部ＤＢ６ｂは、飛行機運行情報データベース５０や電車運行情報データベース６０や気象情報データベース７０、娯楽情報データベース８０等を備える。飛行機運行情報データベース５０は、航空会社が管理運営するデータベースでも、航空会社から情報を受けてモーニングコールサービスを提供する会社等が管理運営するデータベースでもよい。図５に示すように、飛行機運行情報データベース５０は、航空会社名５０ａ、便名５０ｂ、フライト予定時刻５０ｃ、行先５０ｄ、空席数５０ｅなどの情報を保存している。本実施形態では、利用者がフライト予定時刻５０ｃからオフセット時間４０を差し引いた時刻に起床したいという場合に、モーニングコールサービスを利用する場面を想定しているが、例えば他の交通期間として電車を利用する場合に対応すべく、外部ＤＢ６ｂに電車運行情報データベース６０を備えていてもよい。また、例えば、利用者が、天気予報に応じて起床時間を変えたいという要求に対して、モーニングコールサービスを提供すべく、外部ＤＢ６ｂに気象情報データベース７０を備えていてもよい。さらに、例えば、利用者への付加サービスとして、外部ＤＢ６ｂに、スポーツの試合結果の情報やＴＶ番組の情報を保存する娯楽情報データベース８０を備えていてもよい。
【００４６】
インターネット網６は、ＬＡＮ等の構内通信網であってもよい。
【００４７】
図６Ａは、携帯電話端末２の内部構成を示す。携帯電話端末２は、文字や数字の入力を受け付ける入力装置２ａと、メールや音声を送信する送信装置２ｂと、音やアラーム、振動等によって外部に何らかの通知をする通知装置２ｃを備えている。さらに、携帯電話端末２は、電波の受信処理をする受信装置２ｄと、様々な情報を保存する保存装置２ｆと、各装置を制御する制御装置２ｅと、各装置に電気を供給する電源２ｇと、文字や画像を表示する表示装置２ｈも備えている。
【００４８】
受信装置２ｄには判断装置２ｉが付随し、判断装置２ｉは、受信する電波の強弱に応じて、携帯電話端末２が携帯電話ネットワークサービスエリア圏内４にいるのか、携帯電話ネットワークサービスエリア圏外８にいるのかを判断する。
【００４９】
図６Ｂは、保存装置２ｆが保存する情報を示す。保存装置２ｆは、サービス登録要求応答処理部２０が送信したサービス登録時間４２に対して通知装置２ｃを起動する時間（アラーム起動時間１００）を保存する。さらに、他人の電話番号１１０、他人のメールアドレス１２０、発着信履歴１３０、メモ１４０を保存する。
【００５０】
通知装置２ｃは、制御装置２ｅからの信号を受けて、音を発生するスピーカーや光を発生するＬＥＤ、あるいは振動を発生する振動モータ等である。
【００５１】
次に、モーニングコールサービスによって、利用者がサービスの提供を受けるまでの流れについて、図７、８、９を用いて説明する。図７は、利用者がモーニングコールサービスを受けるまでの間に、利用者が搭乗する予定のフライトのフライト予定時刻５０ｃに変更が生じなかった場合の流れを示す。また、図８は、利用者がモーニングコールサービスを受けるまでの間に、利用者が搭乗する予定のフライトのフライト予定時刻５０ｃに変更が生じた場合の流れを示す。さらに、図９は、携帯電話端末２の保存装置２ｆに保存されているアラーム起動時間１００に達した際、携帯電話端末２が、利用者にモーニングコール（アラーム通知）を行うまでの流れを示す。
【００５２】
利用者は、携帯電話端末２の入力装置２ａを使って、モーニングコールサービスを提供している会社等が開設するウエブサイトのＵＲＬアドレスを入力し、サーバー６ａにアクセスする。図示しないウエブサイトの画面には、利用者の携帯電話端末２の電話番号３４やメールアドレス３６を入力する欄がある。利用者は、携帯電話端末２の入力装置２ａを使って、電話番号３４やメールアドレス３６の入力欄にそれらを入力する。携帯電話端末２の送信装置２ｂは、電話番号３４とメールアドレス３６をサーバー６ａに送信する。サービス登録要求処理部１０は、電話番号３４とメールアドレス３６を受信し、利用者毎に利用者番号３２を割り当てる。この処理により、サービス登録要求が受けつけられたことになる（ステップＳ２）。サービス登録要求処理部１０は、利用者情報（利用者番号３２、電話番号３４、メールアドレス３６）を利用者情報データベース３０に送信する処理を行う。
【００５３】
なお、利用者は、サービス登録要求を行うにあたって、インターネット網６にアクセス可能なパーソナルコンピュータ等を使って、上記ウエブサイトにアクセスしても良い。
【００５４】
その後、サービス登録情報送付要求処理部１２は、利用者情報データベース３０から、利用者情報（利用者番号３２、電話番号３４、メールアドレス３６）を読み出す処理を行う。さらに、サービス登録情報送付要求処理部１２は、利用者に対し、利用者が搭乗する予定のフライトの航空会社名５０ａや便名５０ｂ、希望するオフセット時間４０に関する情報を携帯電話端末２から送信することを要求する旨の通知を行う（ステップＳ４）。以下、この要求を、サービス登録情報送付要求と言う。通知の宛先は、利用者の電話番号３４あるいは、メールアドレス３６であって、通知の方法は、メールあるいは自動音声によるメッセージでもよい。
【００５５】
携帯電話端末２は、サーバー６ａからサービス登録情報送付要求を受ける。そこで、利用者は、携帯電話端末２を使い、再びモーニングコールサービスを提供している会社等が開設するウエブサイトにアクセスし、搭乗する予定のフライトの航空会社名５０ａ、便名５０ｂ、オフセット時間４０を携帯電話端末２の入力装置２ａから入力する（ステップＳ６）。例えば、利用者は、航空会社名を「ＸＸＸ」、便名を「２０１」、オフセット時間を「３」と入力する。これらの各情報は、サーバー６ａに情報通知（送信）される。ここで、オフセット時間が「３」であることは、本実施形態の場合、利用者が飛行機のフライト予定時刻５０ｃの３時間前に起床したいと考え、フライト予定時刻５０ｃの３時間前にモーニングコールサービスを受けたいということを意味する。
【００５６】
その後、運行状況確認処理部１４は、外部ＤＢ６ｂにアクセスし、飛行機運行情報データベース５０から、利用者が搭乗する予定のフライトの運行状況を検索する（ステップ８）。本実施形態によれば、航空会社名５０ａが「ＸＸＸ」であって、便名が「２０１」であるフライトの運行状況を検索する。そして、運行状況確認処理部１４は、検索したフライトについて、最新のフライト予定時刻５０ｃの情報を読み出し、運行状況確認応答処理部１６に送信する処理を行う（ステップＳ８）。本実施形態における、この場面での最新のフライト予定時刻５０ｃは、「１０：００」である。
【００５７】
運行状況確認応答処理部１６は、運行状況確認処理部１４が送信した最新のフライト予定時刻５０ｃを受信する（ステップＳ１０）。運行状況確認応答処理部１６は、当初のフライト予定時刻５０ｃである「１０：００」から、オフセット時間４０の３時間を差し引き、サービス登録時間４２として、「７：００」を生成する処理を行う（ステップＳ１２）。さらに、運行状況確認応答処理部１６は、サービス登録時間４２である「７：００」という情報を、利用者情報データベース３０に送信するとともに、サービス登録要求応答処理部２０に送信する処理を行う（ステップＳ１４）。
【００５８】
その後、サービス登録要求応答処理部２０は、運行状況確認応答処理部１６が送信したサービス登録時間４２を受信し、利用者情報データベース３０から、利用者情報（利用者番号３２、電話番号３４、メールアドレス３６）を読み出し、利用者の携帯電話端末２に、サービス登録時間４２である「７：００」という情報を送信する（ステップＳ１６）。
【００５９】
携帯電話端末２は、サービス登録要求応答処理部２０から、サービス登録時間４２である「７：００」という情報を受信する。携帯電話端末２の受信装置２ｄは、その情報を制御装置２ｅに送信する。携帯電話端末２の制御装置２ｅは、アラーム起動時間１００を「７：００」と設定し、保存装置２ｆに送信する。保存装置２ｆは、アラーム起動時間１００を保存する（ステップＳ１８）。
【００６０】
次に、図８を参照して、利用者がモーニングコールサービスを受けるまでの間に、利用者が搭乗する予定のフライトのフライト予定時刻５０ｃに変更が生じた場合の流れを説明する。図８では、すでに利用者は、サーバーに対してサービス登録要求および情報通知（航空会社名５０ａ、便名５０ｂ、オフセット時間４０等の情報の送信）を完了させた後の流れを示している。
【００６１】
運行状況確認処理部１４は、外部ＤＢ６ｂにアクセスし、飛行機運行情報データベース５０から、利用者が搭乗する予定のフライトの運行状況を検索する（ステップＳ３０）。ここでは、航空会社名５０ａが「ＸＸＸ」であって、便名５０ｂが「２０１」で、当初のフライト予定時刻５０ｃは「１０：００」であるものを検索するとする。そして、運行状況確認処理部１４は、検索したフライトの運行状況から、最新のフライト予定時刻５０ｃの情報を読み出し、運行状況確認応答処理部１６に送信する処理を行う（ステップＳ３２）。この時点における、最新のフライト予定時刻５０ｃは、「１０：００」であった。運行状況確認応答処理部１６は、当初のフライト予定時刻５０ｃと最新のフライト予定時刻５０ｃを比較する。この時点では、フライト予定時刻５０ｃには変更が生じていないので（ステップＳ３４）、ステップＳ４２へ進む（ステップＲ１）。上記において図７を参照して説明した処理と同様に、運行状況確認応答処理部１６は、サービス登録時間４２の情報を生成する。その後、運行状況確認応答処理部１６は、サービス登録時間４２（この時点では、フライト予定時刻５０ｃに変更が生じてないので、フライト予定時刻５０ｃである「１０：００」からオフセット時間４０である３時間を引いて求めた、「７：００」という情報）を、利用者情報データベース３０に送信するとともに、サービス登録要求応答処理部２０に送信する処理を行う（ステップＳ４６）。
【００６２】
その後、サービス登録要求応答処理部２０は、運行状況確認応答処理部１６が送信したサービス登録時間４２を受信し、利用者情報データベース３０から、利用者情報（利用者番号３２、電話番号３４、メールアドレス３６）を読み出し、利用者の携帯電話端末２に、サービス登録時間４２である「７：００」という情報を送信する（ステップＳ４８）。
【００６３】
なお、運行状況確認処理部１４は、一定の時間間隔で、利用者が搭乗する予定のフライトの運行状況を監視する（ステップＲ２）。ステップＳ３６〜ステップＳ４０は、運行状況の検索が２回目以降の場合の流れであるとする。１回目の運行状況の確認の流れと同様に、運行状況確認処理部１４は、外部ＤＢ６ｂにアクセスし、飛行機運行情報データベース５０から、利用者が搭乗する予定のフライトの運行状況を検索し、確認する（ステップＳ３６）。
【００６４】
そして、運行状況確認処理部１４は、最新のフライト予定時刻５０ｃの情報を読み出し、運行状況確認応答処理部１６に送信する処理を行う（ステップＳ３８）。運行状況確認応答処理部１６は、前回にフライトの運行状況を確認した際のフライト予定時刻５０ｃと最新のフライト予定時刻５０ｃを比較する。比較の結果、差異があれば最新のフライト予定時刻５０ｃから、利用者が希望したオフセット時間４０を差し引いた時刻を求め、それをサービス登録時間４２として生成する処理を行う（ステップＳ４２）。ここで、フライト予定時刻５０ｃが、「１２：００」に遅延していたとする。そこで、運行状況確認応答処理部１６は、最新のフライト予定時刻５０ｃである「１２：００」から、オフセット時間４０の３時間を差し引き、サービス登録時間４２の情報として、「９：００」を生成する処理を行う（ステップＳ４４）。さらに、運行状況確認応答処理部１６は、サービス登録時間４２の情報である「９：００」を、利用者情報データベース３０に送信するとともに、サービス登録要求応答処理部２０に送信する処理を行う（ステップＳ４６）。
【００６５】
その後、サービス登録要求応答処理部２０は、運行状況確認応答処理部１６が送信したサービス登録時間４２を受信し、利用者情報データベース３０から、利用者情報（利用者番号３２、電話番号３４、メールアドレス３６）を読み出し、利用者の携帯電話端末２に、サービス登録時間４２である「９：００」という情報を送信する（ステップＳ４８）。ここで、携帯電話端末２には、フライト予定時刻５０ｃが遅延したことをメールや自動音声で通知することも同時に行われ、利用者はフライト予定時刻５０ｃが遅延したことを知ることができる。
【００６６】
携帯電話端末２は、サービス登録要求応答処理部２０から、サービス登録時間４２である「９：００」という情報を受信する。携帯電話端末２の制御装置２ｅは、アラーム起動時間１００を「９：００」と設定し、保存装置２ｆに送信する。以前に、一回でも携帯電話端末２が、サービス登録時間４２の情報を受信していれば、保存装置２ｆは、すでに保存しているアラーム起動時間１００を更新し保存する（ステップＳ５０）。
【００６７】
このように、運行状況確認処理部１４が、一定の時間間隔で外部ＤＢ６ｂにアクセスを繰返して、サービス登録時間４２を更新するプログラムを組んでおけば、時々刻々と変化するようなフライト予定時刻５０ｃに対して、最新のフライト予定時刻５０ｃに対応して自動的に更新されたサービス登録時間４２を、携帯電話端末２は受信することが可能である。利用者は、航空会社等にフライト予定時刻５０ｃに変更が生じていないかどうか随時確認する必要もない。
【００６８】
次に図９を参照して、携帯電話端末２が設定しているアラーム起動時間１００に達した際に、携帯電話端末２が、利用者に時刻の到達の通知を行う流れを説明する。
【００６９】
携帯電話端末２には、アラーム起動時間１００が設定されている（ステップＳ６０）。つまり、保存装置２ｆが、アラーム起動時間１００を保存している。そこで、アラーム起動時間１００に達した（ステップＳ６２）と同時に、制御装置２ｅは、受信装置２ｄの判断装置２ｉに対して、携帯電話端末２が携帯電話ネットワークサービスエリア圏内４もしくは圏外８にあるのかを判断するよう信号を出力する。その判断の結果、携帯電話端末２が、携帯電話ネットワークサービスエリア圏外８にあるとする（ステップＳ６４）。この場合、携帯電話端末２は、即座に携帯電話端末２の通知装置２ｃを起動し、利用者はモーニングコールを受けることができる（ステップＳ６６）。すなわち、モーニングコールを受けたい時刻に携帯電話端末２が圏外にあっても、事前に携帯電話端末２にはアラーム起動時間１００が設定されているのでモーニングコールを受けることができるのである。なお、モーニングコールの形態は、通知装置２ｃであるスピーカから音を発するものでも、ＬＥＤを点滅させるものでよい。また、通知装置２ｃである振動モータを振動させる形態でもよい。さらに、通知装置２ｃの起動と併せて、表示装置２ｈにメッセージを表示させるものでもよい。
【００７０】
上記のように、携帯電話端末２が、携帯電話ネットワークサービスエリア圏外８にあって、アラーム起動時間１００に達した場合に、仮に携帯電話端末２のスイッチが入っていなくても、電源２ｇからは、通知装置２ｃへ電力が供給され、利用者はモーニングコールを受けることができる。つまり、携帯電話端末２には、通常、内蔵時計が備えてあり、携帯電話端末２のスイッチが入っていなくても、電源２ｇあるいは、図示しないバックアップの電池等が、内蔵時計を動かしており、それらの電力源が、通知装置２ｃを起動させることができるからである。よって、アラーム起動時間１００に達した際に、携帯電話端末２のスイッチが入っていなくても、モーニングコールを実行する時刻を誤ることなく、通知装置２ｃが動作する。
【００７１】
なお、利用者に対し、携帯電話端末２が、携帯電話ネットワークサービスエリア圏外８にあるのか否かを随時監視することを強要することは難しい。仮に、利用者が、不用意に携帯電話ネットワークサービスエリア圏外８に、長時間、携帯電話端末２とともに滞在して、その間に当初のフライト予定時刻５０ｃに変更が生じた場合、変更されたサービス登録時間４２を受信することができないという不都合が生じる。携帯電話端末２が、携帯電話ネットワークサービスエリア圏外８にある限りは、携帯電話ネットワークサービスエリア圏内４にいた時に受信したサービス登録時間４２の応じたアラーム起動時間１００が保存装置２ｆには保存されたままである。
【００７２】
図１０を参照して、携帯電話端末２が、長時間、携帯電話ネットワークサービスエリア圏外８にある場合の対応について説明する。携帯電話端末２の判断装置は２ｉは、常時、電波の強弱を検出している（ステップＳ１００）。ここで、判断装置２ｉが、携帯電話ネットワークサービスエリア圏内４であると判断する場合は、最新のサービス登録時間４２を受信するよう携帯電話端末２は待機する（ステップＳ１６０）。携帯電話端末２が、携帯電話ネットワークサービスエリア圏内４から携帯電話ネットワークサービスエリア圏外８に移動した際、判断装置２ｉは、制御装置２ｅに圏外移動を示す信号を出力する（ステップＳ１００〜ステップＳ１２０）。なお、携帯電話端末２を持った利用者が、ビルへ出入りするだけで、電波が弱まり、判断装置２ｉが圏外移動を検出してしまうような誤認をしてしまうことが考えられる。よって、判断装置２ｉが、携帯電話ネットワークサービスエリア圏外８であることを継続的に検出した時間を制御装置２ｅが計測し（ステップＳ１３０）、その計測時間が、あらかじめ設定した時間（図１０に示した例は１０分間）を超えた場合に限って、制御装置２ｅは、通知装置２ｃにアラーム音を発することを指示する信号を出力するようにする（ステップＳ１４０）。そして、通知装置２ｃが、アラーム音を発して、利用者に警告する（ステップＳ１５０）。なお、アラーム音は、代替するものとして、圏外移動によりサービス登録時間の受信ができなくなる旨のメッセージを携帯電話端末２が備える表示装置２ｈに表示させてもよい。アラーム音やメッセージを受けた利用者は、例えば電波が弱いビル内にいても、携帯電話端末２を携帯電話ネットワークサービスエリア圏内４に移動させれば、最新のサービス登録時間４２を受信することができる。
【００７３】
図１１を参照して、携帯電話端末２が、アラーム起動時間１００に到達する直前に、携帯電話ネットワークサービスエリア圏外８にある場合の対応について説明する。上記のように、アラーム起動時間１００に達した時（ステップＳ６２）に、携帯電話端末２が携帯電話ネットワークサービスエリア圏外８にあってもアラーム通知が行われる（ステップＳ６６）。しかし、アラーム起動時間１００に達する前の長時間、携帯電話端末２が、携帯電話ネットワークサービスエリア圏外８にある場合、フライト予定時刻５０ｃに変更が生じても変更されたサービス登録時間４２を受信することができないという不都合が生じる。したがって、例えば、携帯電話端末２が、アラーム起動時間１００の１時間前（ステップＳ２００）に携帯電話ネットワークサービスエリア圏外８にある場合、制御装置２ｅは判断装置２ｉに、電波の強弱を検出することを指示する信号を出力する（ステップＳ２１０）。判断装置２ｉが、携帯電話ネットワークサービスエリア圏外８と判断する場合、判断装置２ｉは、制御装置２ｅに圏外移動を示す信号を出力する（ステップＳ２２０〜ステップＳ２３０）。ここで、判断装置２ｉが、携帯電話ネットワークサービスエリア圏内４であると判断する場合は、最新のサービス登録時間４２を受信するよう携帯電話端末２は待機する（ステップＳ２６０）。制御装置２ｅは、通知装置２ｃに、アラームを発することを指示する信号を出力するようにする（ステップＳ２４０）。そして、通知装置２ｃが、アラーム音を発して、利用者に警告する（ステップＳ２５０）。なお、アラーム音は、代替するものとして、圏内移動によりサービス登録時間４２の更新を促す旨のメッセージを携帯電話端末２が備える表示装置２ｈに表示させてもよい。アラーム音やメッセージを受けた利用者は、携帯電話端末２を携帯電話ネットワークサービスエリア圏内４に移動させれば、最新のサービス登録時間４２を受信することができる。
【００７４】
再び、図９を参照して、アラーム起動時間１００に達した時（ステップＳ６２）に携帯電話端末２が、携帯電話ネットワークサービスエリア圏内４にある場合について説明する（ステップＳ６４）。
【００７５】
携帯電話端末２は、サービス登録時間４２の受信の可否についてオプション設定することができる（ステップＳ６８）。なお、オプション設定は、あらかじめ、利用者が携帯電話端末２を操作し行う。オプション設定を設ける理由は、利用者が、一度設定したアラーム起動時間１００を変更したくないと考える場合や、一時的にサービス登録時間４２を受信することを中断したいと考える場合に対応するためである。
【００７６】
仮に携帯電話端末２が、サービス登録時間４２の受信を拒否するようにオプション設定されているとする。既に設定されているアラーム起動時間に達しているので（ステップＳ６２）、即座に携帯電話端末２は通知装置２ｃを起動させる。よって、利用者はモーニングコールを受けることができる（ステップＳ７０）。
【００７７】
他方、携帯電話端末２が、サービス登録時間４２の受信を許可するように設定されている場合について述べる（ステップＳ６８）。携帯電話端末２は、サービス登録要求応答処理部２０から、最新のサービス登録時間４２の情報を受信する（ステップＳ７２）。ここで、以前に受信したサービス登録時間４２に変更がなく、アラーム起動時間１００の更新が不要な場合は（ステップＳ７４）、既に設定されているアラーム起動時間１００に達しているので（ステップＳ６２）、即座に携帯電話端末２は通知装置２ｃを起動させる。よって、利用者はモーニングコールを受けることができる（ステップＳ７６）。
【００７８】
一方、以前に受信したサービス登録時間４２に変更が生じており、アラーム起動時間１００の更新が必要な場合は（ステップＳ７４）、携帯電話端末２は、アラーム起動時間１００を新たに設定する（ステップＳ７８）。サービス登録時間４２に変更が生じている場合とは、例えば、上記のように、飛行機のフライト予定時刻５０ｃが当初の時刻より遅延していた場合である。なお、携帯電話端末２には、サービス登録時間４２が変更されたことをメールや自動音声で通知することも同時に行われ、アラーム起動時間１００が変更されたことを利用者は知ることができる。そして、新たに設定されたアラーム起動時間１００に達した際（ステップＳ８０）、携帯電話端末２は、携帯電話端末２の通知装置２ｃを起動させ、利用者はモーニングコールを受けることができる（ステップＳ８２）。
【００７９】
以上のように、利用者は、フライト予定時刻５０ｃの変更の有無を随時確認することなく、仮にフライト予定時刻５０ｃに変更が生じても、変更に応じた時刻に更新された時刻にモーニングコールサービスの提供を受けることができる。フライト予定時刻５０ｃが変更する場合とは、フライト予定時刻５０ｃが早くなるというよりも遅延するほうのケースが考えられる。すなわち、サービス登録時間４２に変更が生じることは、時間が遅くなることである。したがって、本発明によれば、利用者が、フライト予定時刻５０ｃの遅延を知らずに、早く飛行場に到着してしまう等の徒労を防ぐことができる。また、本発明によれば、仮に携帯電話端末２が、一時的に携帯電話ネットワークサービスエリア圏内４から携帯電話ネットワークサービスエリア圏外８に移動しても、携帯電話端末２は、圏外に移動する前（圏内にいた時）にアラーム起動時間１００を設定しているため、アラーム起動時間１００に時刻に到達した際に、携帯電話ネットワークサービスエリア圏外８に携帯電話端末２があったために、モーニングコールサービスの提供を受けることができなかったというような事態も避けることができる。
【００８０】
また、本実施形態においては、携帯電話端末２が、一つのアラーム起動時間１００を設定した場合について示したが、複数のアラーム起動時間１００を設定してもよい。例えば、利用者が、フライト予定時刻５０ｃの３時間前に起床したいと考え、オフセット時間４０を３時間として、サービス登録要求（ステップＳ２）を行い、一つ目のアラーム起動時間１００が携帯電話端末２の保存装置２ｆに保存される。さらに利用者は、フライト予定時刻５０ｃの２時間前に家を出たいと考え、オフセット時間４０を２時間として、当該サービス登録要求（ステップＳ２）と同時あるいは、再度のサービス登録要求（ステップＳ２）を行い、二つ目のアラーム起動時間１００が携帯電話端末２の保存装置２ｆに保存される。
【００８１】
さらに、携帯電話端末２が、複数のフライト予定時刻５０ｃに対応する一つのアラーム起動時間１００を設定してもよい。例えば、利用者が、飛行場に二人の客を迎えに行く際に、その二人の客が別々のフライトで飛行場に到着する場合を想定する。利用者は、二人の客のうち、早く飛行場に到着するフライトのフライト予定時刻５０ｃの数時間前に起床して飛行場に向えば、二人の客を迎えることができる。この場合、フライト予定時刻５０ｃが二種類存在する。よって、利用者は、二つのフライト予定時刻５０ｃの先後関係に変更が生じるか否かにかかわらず、とにかく早いほうのフライト予定時刻５０ｃの３時間前に起床したいと考え、オフセット時間４０を３時間として、サービス登録要求（ステップＳ２）を行うとする。利用者は、サーバー６ａからのサービス登録情報送付要求に対して、二つの便名５０ｂを携帯電話端末２の入力装置２ａから入力する（ステップＳ６）。サーバー６ａは、二つのフライト予定時刻５０ｃの運行状況確認（ステップＳ８）を行い、二つのサービス登録時間４２を生成し、そのうち時間が早いほうのサービス登録時間４２を利用者の携帯電話端末２に送信する。携帯電話端末２は、受信したサービス登録時間４２に応じて、アラーム起動時間１００を保存装置２ｆに保存する。
【００８２】
また、携帯電話端末２が、複数のフライト予定時刻５０に対応する複数のアラーム起動時間１００を設定してもよい。利用者が、同日あるいは異日に二つのフライトを予定している場合、利用者は、サーバー６ａからのサービス登録情報送付要求に対して、二つのフライトの便名５０ｂを携帯電話端末２の入力装置２ａから入力する（ステップＳ６）。サーバー６ａは、二つのフライト予定時刻５０ｃの運行状況確認（ステップＳ８）を行い、二つのサービス登録時間４２を生成し、二つのサービス登録時間４２を利用者の携帯電話端末２に送信する。携帯電話端末２は、受信した二つのサービス登録時間４２に応じて、二つのアラーム起動時間１００を保存装置２ｆに保存する。
【図面の簡単な説明】
【００８３】
【図１】図１は、本発明の実施形態にかかるモーニングコールサービスのシステムの構成を示す。
【図２】図２は、サーバーの内部を示す。
【図３】図３は、利用者情報データベースが保存する情報を示す。
【図４】図４は、外部ＤＢの内部を示す。
【図５】図５は、飛行機運行情報データベースが保存する情報を示す。
【図６Ａ】図６Ａは、携帯電話端末の内部構成を示す。
【図６Ｂ】図６Ｂは、携帯電話端末の保存装置が保存する情報を示す。
【図７】図７は、本実施形態において、利用者がモーニングコールサービスを受けるまでの流れであって、利用者が搭乗する予定のフライトのフライト予定時刻に変更が生じなかった場合について説明するための図である。
【図８】図８は、本実施形態において、利用者がモーニングコールサービスを受けるまでの流れであって、利用者が搭乗する予定のフライトのフライト予定時刻に変更が生じた場合について説明するための図である。
【図９】図９は、携帯電話端末にアラーム起動時間が設定された後に、携帯電話端末が時刻の到達の通知を行うまでの流れを説明するための図である。
【図１０】図１０は、携帯電話端末が、長時間、携帯電話ネットワークサービスエリア圏外にある場合の対応について説明するための図である。
【図１１】図１１は、携帯電話端末が、アラーム起動時間に到達する直前に、携帯電話ネットワークサービスエリア圏外にある場合の対応について説明するための図である。
【符号の説明】
【００８４】
２    ：携帯電話端末
２ａ  ：入力装置
２ｂ  ：送信装置
２ｃ  ：通知装置
２ｄ  ：受信装置
２ｅ  ：制御装置
２ｆ  ：保存装置
２ｇ  ：電源
２ｈ  ：表示装置
２ｉ  ：判断装置
４    ：携帯電話ネットワークサービスエリア圏内
６    ：インターネット網
６ａ  ：サーバー
６ｂ  ：外部ＤＢ
８    ：携帯電話ネットワークサービスエリア圏外
１０  ：サービス登録要求処理部
１２  ：サービス登録情報送付要求処理部
１４  ：運行状況確認処理部
１６  ：運行状況確認応答処理部
２０  ：サービス登録要求応答処理部
３０  ：利用者情報データベース
３２  ：利用者番号
３４  ：電話番号
３６  ：メールアドレス
４０  ：オフセット時間
４２  ：サービス登録時間
５０  ：飛行機運行情報データベース
５０ａ：航空会社名
５０ｂ：便名
５０ｃ：フライト予定時刻
５０ｄ：行先
５０ｅ：空席数
６０  ：電車運行情報データベース
７０  ：気象情報データベース
８０  ：娯楽情報データベース
１００：アラーム起動時間
１１０：他人の電話番号
１２０：他人のメールアドレス
１３０：発着信履歴
１４０：メモ
【図１】
2007322198.tif 000003
【図２】
2007322198.tif 000004
【図３】
2007322198.tif 000005
【図４】
2007322198.tif 000006
【図５】
2007322198.tif 000007
【図６Ａ】
2007322198.tif 000008
【図６Ｂ】
2007322198.tif 000009
【図７】
2007322198.tif 000010
【図８】
2007322198.tif 000011
【図９】
2007322198.tif 000012
【図１０】
2007322198.tif 000013
【図１１】
2007322198.tif 000014